(57)【要約】【課題】本考案は、額縁の裏面に磁石を貼着することにより、スチール製の壁面に磁力により額物を取り付けることができ、構造も簡単で安価に提供できる額縁の提供を目的とする。【解決手段】本考案に係る額縁Ａは、表面と裏面とを有する平板体よりなり、前記平板体の裏面側に磁石１０を貼着してなることを特徴とする。【選択図】 図１
0003219449.tif 000002
【実用新案登録請求の範囲】
【請求項１】
表面と裏面とを有する平板体よりなり、
前記平板体の裏面側に磁石を貼着してなる
ことを特徴とする額縁。
【請求項２】
前記平板体は、その周縁に額縁フレームを備え、
前記額縁フレームの裏面側に、磁石を接着剤により貼着してなる
ことを特徴とする請求項１に記載の額縁。
【請求項３】
前記磁石は、シート状であって、異方性磁石である
ことを特徴とする請求項１又は２に記載の額縁。
【請求項４】
前記額縁フレームは、当該額縁フレームに囲まれる内方領域に嵌合する裏板を備え、
前記額縁のフレームの裏面側には、前記裏板を固定する止め具が配されており、
前記額縁のフレーム裏面からの前記止め具の高さよりも前記磁石の高さの方が高い
ことを特徴とする請求項１〜３のいずれか１項に記載の額縁。
【請求項５】
前記額縁フレームは、矩形状をなし、当該額縁フレームの四隅に磁石を貼着してなる
ことを特徴とする請求項１〜４のいずれか１項に記載の額縁。
【請求項６】
前記磁石は、額縁フレームの隅角部内に収まる直角三角形状をなす
ことを特徴とする請求項５に記載の額縁。
【請求項７】
前記額縁フレームは、上下左右の枠体により構成され、
前記枠体は、各隅角部において他の枠体との接合部を有し、
前記磁石が、前記接合部を跨がるように貼着されている
ことを特徴とする請求項５又は６に記載の額縁。
【請求項８】
前記額縁フレームが、矩形状をなし、当該額縁フレームの４つの辺側に磁石を貼着してなる
ことを特徴とする請求項１〜７のいずれか１項に記載の額縁。
【請求項９】
前記額縁フレームが、丸棒差し込み穴を備えている
ことを特徴とする請求項１〜８のいずれか１項に記載の額縁。
【請求項１０】
前記磁石は、その額縁フレーム側に貼着する面に、貼着側面であることを示す印が型押しされている
ことを特徴とする請求項１〜９のいずれか１項に記載の額縁。
【考案の詳細な説明】
【技術分野】
【０００１】
本考案は、絵画やポスター等の平面体を掲示するための額縁に関し、特に裏面側に磁石を貼着した額縁に関する。
【背景技術】
【０００２】
従来より絵画などを飾る荘厳な重量感がある額縁の他に、ポスター等の掲示用や簡易な装飾用等の種々の用途に簡易な額縁が多用されている。
【０００３】
このように多用される簡易な額縁は、壁面に吊り下げたり、載置台に立て掛けたりして使用されているのが一般的である。
【考案の概要】
【考案が解決しようとする課題】
【０００４】
しかしながら、額縁を吊り下げるとなると壁面に何らかの影響をあたえざるを得ず、特にスチール製の壁面ともなるとドリルで穴をあけるなどの工作が必要であった。また、立て掛けるとしても適当な載置台を設ける必要があった。
【０００５】
そこで、本考案者は、鋭意研究を重ね、額縁の裏面に磁石を貼着することにより、スチール製の壁面に磁力により額物を取り付けることができ、構造も簡単で安価に提供できる額縁を考案した。
【課題を解決するための手段】
【０００６】
本考案に係る第１の額縁は、表面と裏面とを有する平板体よりなり、前記平板体の裏面側に磁石を貼着してなることを特徴とする。
【０００７】
本考案に係る第２の額縁は、上記第１の額縁の構成に加え、前記平板体は、その周縁に額縁フレームを備え、前記額縁フレームの裏面側に、磁石を接着剤により貼着してなることを特徴とする。
【０００８】
本考案に係る第３の額縁は、上記第１又は第２の額縁の構成に加え、前記磁石は、シート状であって、異方性磁石であることを特徴とする。
【０００９】
本考案に係る第４の額縁は、上記第１〜第３のいずれかの額縁の構成に加え、前記額縁フレームは、当該額縁フレームに囲まれる内方領域に嵌合する裏板を備え、前記額縁のフレームの裏面側には、前記裏板を固定する止め具が配されており、前記額縁のフレーム裏面からの前記止め具の高さよりも前記磁石の高さの方が高いことを特徴とする。
【００１０】
本考案に係る第５の額縁は、上記第１〜第４のいずれかの額縁の構成に加え、前記額縁フレームは、矩形状をなし、当該額縁フレームの四隅に磁石を貼着してなることを特徴とする。
【００１１】
本考案に係る第６の額縁は、上記第５の額縁の構成に加え、前記磁石は、額縁フレームの隅角部内に収まる直角三角形状をなすことを特徴とする。
【００１２】
本考案に係る第７の額縁は、上記第５又は第６の額縁の構成に加え、前記額縁フレームは、上下左右の枠体により構成され、前記枠体は、各隅角部において他の枠体との接合部を有し、前記磁石が、前記接合部を跨がるように貼着されていることを特徴とする。
【００１３】
本考案に係る第８の額縁は、上記第１〜第７のいずれかの額縁の構成に加え、前記額縁フレームが、矩形状をなし、当該額縁フレームの４つの辺側に磁石を貼着してなることを特徴とする。
【００１４】
本考案に係る第９の額縁は、上記第１〜第８のいずれかの額縁の構成に加え、前記額縁フレームが、丸棒差し込み穴を備えていることを特徴とする。
【００１５】
本考案に係る第１０の額縁は、上記第１〜第９のいずれかの額縁の構成に加え、前記磁石は、その額縁フレーム側に貼着する面に、貼着側面であることを示す印が型押しされていることを特徴とする。
【考案の効果】
【００１６】
本考案に係る額縁は、上記の構成よりなるので、スチール製の壁面に磁力により額物を取り付けることができるので、壁面に工作をする必要がなく、しかも、構造も簡単で安価に提供できる利点がある。
【図面の簡単な説明】
【００１７】
【図１】本考案の実施例に係る額縁の裏面側の図である。
【図２】本考案の実施例に係る額縁の裏面側左上部の部分拡大斜視図である。
【図３】本考案の実施例に係る額縁の上部の一部省略拡大図である。
【図４】図１におけるＩＶ−ＩＶ線一部省略断面図である。
【図５】図４の左部側の拡大図である。
【考案を実施するための形態】
【００１８】
以下に本考案の好適な実施例１を図１〜図５に基づいて詳細に説明する。
【実施例１】
【００１９】
図１〜図５は本実施例に係る額縁Ａを示し、当該額縁Ａは、絵画や写真等を掲示する表面と裏面とを有し、その全体は図１及び図４に示すように矩形状の平板体から構成されており、図１は額縁Ａの裏面を表している。もちろん、額縁Ａの全体形状は本実施例の矩形状に限られるものではなく、円形や小判型又は矩形以外の多角形状のものであってもよい。
【００２０】
図１に示すように、額縁Ａの四隅には、直角三角形状の磁石１０が、接着剤により貼着されている。当該額縁Ａは、その周縁に額縁フレーム２０を備えており、前記磁石１０は額縁フレーム２０の裏面側に貼着されている。接着剤としては、磁石１０と額縁Ａの裏面、すなわち額縁フレーム２０とが接着できるものであれば、市販されているものでよく、特に限定されるものではない。
【００２１】
詳細に説明すると、額縁フレーム２０は、上下の枠体２１、２２と左右の枠体２３、２４とから構成されており、これら枠体２１〜２４は、額縁Ａの各隅角部において隣接する他の枠体と接合する接合部２６を有しており、磁石１０は各接合部２６を跨ぐように、かつ、四隅の各隅角部内に収まる範囲で貼着されている。したがって、当該磁石１０は、額縁フレーム２０全体の強度を高める役割も果たしている。もちろん、磁石は、隅角部ではなく、額縁フレームの辺側、すなわち上下の辺及び左右の辺に貼着してもよく、その場合には長方形状のものが好適である。また、磁石は、隅角部と辺側との双方に貼着してもよい。
【００２２】
磁石１０は、シート状であって、異方性のラバー磁石を採用している。異方性磁石は磁力に方向性があるため、額縁Ａをスチール製壁面などに貼着するのには等方性磁石よりも吸着力に優れているので好適である。なお、磁石はラバー磁石に限られるものではなく、異方性であれば、希土類磁石、フェライト磁石などを使用してもよい。
【００２３】
額縁Ａは、前記額縁フレーム２０により囲まれる内方領域の箇所には、図４及び図５に示すように、額縁Ａの裏面側から、肉厚の裏板３１及び緩衝板３２と、肉薄の台紙３３及びポリエチレンテレフタレート等の合成樹脂からなる肉薄の透明シート３４とが嵌め込まれている。そして、透明シート３４が額縁Ａの大部分の表面を構成しており、透明シート３４の内側に絵画等を収納することにより、透明シート３４を通じて視認することが可能となる。
【００２４】
前記裏板３１は、絵画等を収納していない場合には絵画等の厚み代を稼ぐために額縁フレーム２０より若干沈むように設計されている。したがって、台紙３３と透明シート３４との間に絵画等が収納されると、台紙３３、緩衝板３２及び裏板３１が絵画等の厚み分だけ浮き上がることになる。そのため、当該裏板３１を固定するための止め具３５が額縁フレーム２０に取り付けられている。
【００２５】
なお、止め具３５は、絵画等を出し入れする際に台紙３３、緩衝板３２及び裏板３１を取り外したり収納したりするのに使用し、また、絵画等を収納していない場合にも、透明シート３４、台紙３３、緩衝板３２及び裏板３１の抜け止めの役目を果たす。
【００２６】
そして、磁石１０は、図５に示すように、その厚みが止め具３５の厚みより厚いものを使用しており、その結果、額縁フレーム２０裏面からの止め具３５の高さｈ１よりも前記磁石１０の高さｈ２の方が高くなるように構成される。したがって、額縁Ａを壁面に取り付ける場合に、止め具３５が邪魔にならずに磁石１０が壁面に直接接触するので、磁石１０の吸着力が低下しない利点がある。
【００２７】
もちろん磁石１０のコストを抑えるために厚みが薄い磁石１０を採用し、本実施例のように、前記止め具３５の高さｈ１と磁石１０の高さｈ２とがほぼ同一高さになるようにしてもよい。
【００２８】
なお、磁石１０には、その額縁フレーム２０側に貼着する面に、貼着側の面であることを示す印（不図示）が型押しされており、磁石１０を額縁フレーム２０に貼着する際に間違いを起こさないように配慮されている。
【００２９】
また、額縁Ａには、丸棒を差し込むための差し込み穴３６が形成されており、別部材としてのアクリル等の合成樹脂よりなる適宜長さの丸棒を、この差し込み穴３６に差し込むことにより、額縁Ａを立て掛けて使用することが可能となる。
【００３０】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００３１】
Ａ…………額縁
１０………磁石
２０………額縁フレーム
２１………上側の枠体
２２………下側の枠体
２３………左側の枠体
２４………右側の枠体
２６………接合部
３１………裏板
３２………緩衝板
３３………台紙
３４………透明シート
３５………止め具
３６………アクリル丸棒の差し込み穴
ｈ１………止め具の高さ
ｈ２………磁石の高さ
【図１】
0003219449.tif 000003
【図２】
0003219449.tif 000004
【図３】
0003219449.tif 000005
【図４】
0003219449.tif 000006
【図５】
0003219449.tif 000007
【手続補正書】
【提出日】平成30年10月30日(2018.10.30)
【手続補正１】
【補正対象書類名】実用新案登録請求の範囲
【補正対象項目名】請求項４
【補正方法】変更
【補正の内容】
【請求項４】
前記額縁フレームは、当該額縁フレームに囲まれる内方領域に嵌合する裏板を備え、
前記額縁のフレームの裏面側には、前記裏板を固定する止め具が配されており、
前記額縁のフレーム裏面からの前記止め具の高さよりも前記磁石の高さの方が高い
ことを特徴とする請求項２又は３に記載の額縁。
【手続補正２】
【補正対象書類名】実用新案登録請求の範囲
【補正対象項目名】請求項５
【補正方法】変更
【補正の内容】
【請求項５】
前記額縁フレームは、矩形状をなし、当該額縁フレームの四隅に磁石を貼着してなる
ことを特徴とする請求項２〜４のいずれか１項に記載の額縁。
【手続補正３】
【補正対象書類名】実用新案登録請求の範囲
【補正対象項目名】請求項８
【補正方法】変更
【補正の内容】
【請求項８】
前記額縁フレームが、矩形状をなし、当該額縁フレームの４つの辺側に磁石を貼着してなる
ことを特徴とする請求項２〜７のいずれか１項に記載の額縁。
【手続補正４】
【補正対象書類名】実用新案登録請求の範囲
【補正対象項目名】請求項９
【補正方法】変更
【補正の内容】
【請求項９】
前記額縁フレームが、丸棒差し込み穴を備えている
ことを特徴とする請求項２〜８のいずれか１項に記載の額縁。
【手続補正５】
【補正対象書類名】実用新案登録請求の範囲
【補正対象項目名】請求項１０
【補正方法】変更
【補正の内容】
【請求項１０】
前記磁石は、その額縁フレーム側に貼着する面に、貼着側面であることを示す印が型押しされている
ことを特徴とする請求項２〜９のいずれか１項に記載の額縁。
【手続補正６】
【補正対象書類名】明細書
【補正対象項目名】０００９
【補正方法】変更
【補正の内容】
【０００９】
本考案に係る第４の額縁は、上記第２又は第３の額縁の構成に加え、前記額縁フレームは、当該額縁フレームに囲まれる内方領域に嵌合する裏板を備え、前記額縁のフレームの裏面側には、前記裏板を固定する止め具が配されており、前記額縁のフレーム裏面からの前記止め具の高さよりも前記磁石の高さの方が高いことを特徴とする。
【手続補正７】
【補正対象書類名】明細書
【補正対象項目名】００１０
【補正方法】変更
【補正の内容】
【００１０】
本考案に係る第５の額縁は、上記第２〜第４のいずれかの額縁の構成に加え、前記額縁フレームは、矩形状をなし、当該額縁フレームの四隅に磁石を貼着してなることを特徴とする。
【手続補正８】
【補正対象書類名】明細書
【補正対象項目名】００１３
【補正方法】変更
【補正の内容】
【００１３】
本考案に係る第８の額縁は、上記第２〜第７のいずれかの額縁の構成に加え、前記額縁フレームが、矩形状をなし、当該額縁フレームの４つの辺側に磁石を貼着してなることを特徴とする。
【手続補正９】
【補正対象書類名】明細書
【補正対象項目名】００１４
【補正方法】変更
【補正の内容】
【００１４】
本考案に係る第９の額縁は、上記第２〜第８のいずれかの額縁の構成に加え、前記額縁フレームが、丸棒差し込み穴を備えていることを特徴とする。
【手続補正１０】
【補正対象書類名】明細書
【補正対象項目名】００１５
【補正方法】変更
【補正の内容】
【００１５】
本考案に係る第１０の額縁は、上記第２〜第９のいずれかの額縁の構成に加え、前記磁石は、その額縁フレーム側に貼着する面に、貼着側面であることを示す印が型押しされていることを特徴とする。